(57)【要約】      （修正有）【課題】改良された物置棚構造を提供する。【解決手段】該物置棚は、少なくとも上縁部、底縁部１２とフィット面１３を備えてなる一つの主棚体１０が備わり、少なくとも該主棚体のプリセット部位に設けられている一つの置入部２０を備える。該主棚体の底縁部にあり、外側の斜め下向きに伸ばし、着地側３１が形成されるように設けられた斜め支持脚３０を少なくとも二つ備え、それによって該対象物の縦向き面に粘着、固定し、位置決めする。【選択図】図１
0003152279.tif 000002
【実用新案登録請求の範囲】
【請求項１】
使用上、対象物の縦向き面８０にフィットするように設けられる物置棚Ａを備えてなる物置棚構造であって、該物置棚Ａは、
少なくとも上縁部１１、底縁部１２とフィット面１３を備えてなる一つの主棚体１０を備え、
少なくとも該主棚体１０のプリセット部位に設けられている一つの置入部２０を備え、
前記主棚体１０の底縁部１２にあり、外側の斜め下向きに伸ばされて、着地側３１が形成された斜め支持脚３０を少なくとも二つ備え、
前記主棚体１０の前記フィット面１３に設けられる粘着部４０を備え、それによって、前記対象物の縦向き面８０に粘着、固定されて、位置が決められるようになることを特徴とする物置棚構造。
【請求項２】
前記主棚体１０が単一縦向き延伸棚体形態となったとき、前記二つの斜め支持脚３０は、前記斜め支持脚３０の位置決め部３２によって、左右対称に配置されて、前記主棚体１０の前記底縁部１２に設けられることを特徴とする請求項１に記載の物置棚構造。
【請求項３】
前記物置棚Ａ１、Ａ２、Ａ３の複数の主棚体１０が横向き間隔配置形態となったとき、連結バー１４を用いて、複数の前記主棚体１０を相互に連結させて、固定させるとともに、複数の前記斜め支持脚３０は相互に連結されて一体化され、前記主棚体１０の底縁部１２に設けられることを特徴とする請求項１に記載の物置棚構造。
【請求項４】
前記粘着部４０は、前記フィット面１３のみに設けられる粘着シートを含む、またはそれぞれ前記主棚体１０のフィット面１３と前記対象物の縦向き面８０に設けられるオス・メスマジックテープ（登録商標）４１、４２を含む粘着形態を有することを特徴とする請求項１に記載の物置棚構造。
【請求項５】
前記置入部２０は、ラミネート板、ラックバー、車輪掛け棚のいずれかの一つを含むことを特徴とする請求項１に記載の物置棚構造。
【考案の詳細な説明】
【技術分野】
【０００１】
本考案係は、物置棚を構成する部品の結合構造に関わり、特に位置決めが簡単で、しっかりと固定される構造のオリジナルな改良された物置棚構造の形態に関する。
【背景技術】
【０００２】
市販の置物用棚やラックは様々な種類があり、材質により差があり、ユニット部品や組み合わせの位置決めによって、多種多様な物置棚の商品が見られる。
【０００３】
しかし、上述の物置棚を構成する部品の結合構造はまだ不十分なところがあり、改善すべきところが残されているが、その中、物置棚の結合構造の組み合わせにおける位置決めの設計がキーポイントとなるが、従来の結合構造の設計では部品が複雑なので、量産に不利だし、組み立てが不便になり、組立後の安定性が足りないという問題点がある。物置棚は使用者が自ら組み立て、取り外し（普通はＤＩＹという）を簡単に行えるように開発された商品形態であり、使用者が便利に使えるように、それを更に改善するのが、関連業者が持続的に努力して突破すべき重要な課題と目標でもある。
【０００４】
それを鑑みて、考案者は関連製品の製造、開発や設計に携わる長年の経験を持っており、上述の目標について詳しく設計し、評価したうえ、ようやく実用性のある本考案を得られたわけである。
【考案の概要】
【考案が解決しようとする課題】
【０００５】
本考案は、改良された物置棚構造を提供することを目的とし、解決しようとする課題は、より理想的で、実用性のある物置棚の組立、位置決め構造形態を開発し、突破することである。
【課題を解決するための手段】
【０００６】
本考案の課題を解決するための技術特徴として、前記物置棚構造は、使用上、対象物の縦向き面にフィットするように設けられる物置棚を備えてなるものである。該物置棚は、少なくとも上縁部、底縁部とフィット面を備えてなる一つの主棚体を備え、少なくとも該主棚体のプリセット部位に設けられている一つの置入部を備え、該主棚体の底縁部にあり、外側の斜め下向きに伸ばされて、着地側が形成されるように設けられた斜め支持脚を少なくとも二つ備え、前記主棚体のフィット面に設けられる粘着部を備え、それによって前記対象物の縦向き面に粘着、固定されて、位置が決められるようになることを特徴とするものである。
【考案の効果】
【０００７】
上記のオリジナル設計により、本考案は従来の技術に比べて、位置決め構造が簡単で、組み立てやすくなり、一般の家庭に広く使える実用性と進歩性があるものである。
【図面の簡単な説明】
【０００８】
【図１】本考案の物置棚構造の好適な実施例。
【図２】本考案の物置棚構造の二つ主棚体が間隔配置に設けられる実施例図。
【図３】本考案の物置棚構造の二つの主棚体が間隔配置に設けられるもう一つの実施例図。
【図４】本考案の物置棚構造の三つの主棚体が間隔配置に設けられる実施例図。
【図５】本考案の合わせた物置ボックスとの実施例図。
【図６】本考案の置入部がラックバー形態に設けられる実施例図。
【図７】本考案の置入部が車輪掛け棚になった実施例図。
【図８】本考案のもう一つの実施例の立体図。
【考案を実施するための形態】
【実施例】
【０００９】
図１〜図７に示すのは、本考案の改良された物置棚構造の好適な実施例であり、これらの実施例は説明のみに用いられ、それを以って、実用新案登録請求の範囲を制限してはならない。
【００１０】
物置棚構造は、使用上、対象物の縦向き面にフィットするように設けられる物置棚Ａを備えてなり、物置棚Ａは、
少なくとも上縁部１１、底縁部１２とフィット面１３を備えてなる一つの主棚体１０を備え、
少なくとも主棚体１０のプリセット部位つまり所望の部位に設けられている一つの置入部２０を備え、それによって、物置棚Ａは物を置き入れる機能があって、使用者の様々なニーズを満足させることができる。
【００１１】
さらに、物置棚Ａは、主棚体１０の底縁部１２にあり、外側の斜め下向きに伸ばされて、着地側３１が形成されるように斜め支持脚３０を少なくとも二つ備え、そこで、物置棚Ａは縦向き面８０にフィットしたとき、二つの斜め支持脚３０が相対して外側の斜め下向きに伸ばされることによって、主棚体１０が傾くことがなく、縦向き面８０としっかりとフィットするように保てるし、物置棚Ａがよい位置決めで支えられる。
【００１２】
また、物置棚Ａは、主棚体１０のフィット面１３に設けられる粘着部４０を備え、それによって、対象物の縦向き面８０に粘着、固定されて、位置が決められ、安定性が向上されるが、粘着部４０は、縦向き面８０に粘着するため、フィット面１３のみに設けられる粘着シートを含む、またはそれぞれ主棚体１０のフィット面１３と対象物の縦向き面８０に設けられるオス・メスマジックテープ（登録商標）４１、４２で、オス、メスマジックテープ（登録商標）４１、４２が相互に粘着して、位置が決められるように設けられている。
【００１３】
本考案は様々な実施の形態があるが、図面に合わせて、以下のように具体的に説明する。
【００１４】
図１に示すように、主棚体１０が単一縦向き延伸棚体形態、つまり、物置棚Ａが単一で、主棚体１０が上下方向に延びる形態となったとき、二斜め支持脚３０は、斜め支持脚３０の位置決め部３２によって、左右対称に配置されて、主棚体１０の底縁部１２に設けられている。
【００１５】
物置棚Ａは複数の主棚体１０が横向き間隔配置形態、つまり、主棚体１０が縦向き面８０の横方向に並列して配置された形態となったとき、連結バー１４を用いて、複数の主棚体１０を相互に連結させて、固定させるとともに、複数の斜め支持脚３０はそれぞれ一体化されて、主棚体１０の底縁部１２に設けられるが、図２は物置棚Ａ１が二つの主棚体１０によって設けられる横向き間隔配置形態を示し、図３は主棚体１０が主棚体１０の延伸方向に沿って設けられる延伸棚体形態を示し、物置棚Ａ２は間隔を置いて、二つの置入部２０が配置されており、図４に示すように、物置棚Ａ３は三つ主棚体１０からなる横向き間隔配置形態であり、図８に示すように、二つの主棚体１０と二つの斜め支持脚３０はいずれも横向き間隔配置形態となり、二つの斜め支持脚３０が一体化し、斜め上向き延伸形態として主棚体１０の底縁部１２に設けられ、フィット面１３が二つの主棚体１０の上縁部１１に設けられる実施の形態である。
【００１６】
図５に示すように、複数の主棚体１０が横向き間隔配置形態として間隔空間１５が形成されるが、そこで、間隔空間１５は物置ボックス５０が設けられるが、物置ボックス５０は使用者が物を整理や収納するに用いられる。
【００１７】
置入部２０はラミネート板、ラックバー、車輪掛け棚の何れかの一つでよいが、図６に示される該置入部２０は、ラックバーからなるもので、使用者のＣＤボックス、ファイルフォルター、靴棚などの収納用に用いられる。
【００１８】
上述の構造、組み合わせ設計により、本考案の使用作動状況について次のように説明する。
【００１９】
図１に示すように、物置棚Ａは、主棚体１０が縦向き面８０にフィットし、斜め支持脚３０が相対して外側の斜め下向きに延伸して、主棚体１０が傾かず、縦向き面８０にしっかりとフィットするように保てるし、主棚体１０のフィット面１３にあるオスマジックテープ（登録商標）４１と縦向き面８０にあるメスマジックテープ（登録商標）４２を相互に粘着して、物置棚Ａが物置棚Ａがよい位置決めで支えられる。
【００２０】
図７に示すように、置入部２０は車輪掛け棚形態であり、車輪掛け棚は自転車６０の収納や置き入れに用いられるが、使用上、まず、自転車６０の前輪６１の回転を停止させて、それから、自転車６０の前側を垂直に逆立たせたあと、自転車６０を持ち上げて、前輪６１を該車輪掛け棚に掛けられるようにし、そこで自転車６０が逆立ちするようになり、自転車６０の後輪６２を着地部８１に入れて、自転車６０の置くスペースを小さくして、収納最適化を達成させる。
以下本考案の物置棚構造の効果について説明する。
【００２１】
本考案による功效向上の事実は次のようになる。
【００２２】
本考案に掲示した改良された“物置棚構造”は、該主棚体、粘着部、斜め支持脚と置入部からなるオリジナルな構造の組合せ設計により、本考案は従来の技術の構造に比べて、全体として、前記主棚体、粘着部、斜め支持脚と置入部からなるもので、構造部品が簡単となり、そして前記斜め支持脚は相対して外側の斜め下向きに延伸し、粘着部と縦向き面を相互に粘着して、前記主棚体が縦向き面にしっかりとフィットするように保てるし、よい位置決めで支えられ、位置決め結構が簡單、組み立てやすく、一般の家庭に広く適用され、使用者の様々なニーズを満足させることができる実用性、進歩性がある。
【００２３】
上述の実施例に掲示したのは、本考案を具体的に説明するための内容であり、文中で専門用語を用いて説明してきたが、それを以って本考案の実用新案登録請求の範囲を制限してならず、また、この分野が分かる者はこの本考案のコンセプトや考えを理解したうえ、変更や修正などを行ってこれと同等な効果があるものを得たとしても、これらの変更や修正はすべて後述の実用新案登録請求の範囲に含まれるものとする。
【符号の説明】
【００２４】
Ａ    物置棚            
Ａ１  物置棚
Ａ２  物置棚                  
Ａ３  物置棚
１０  主棚体            
１１  上縁部
１２  底縁部            
１３  フィット面
１４  連結バー          
１５  間隔空間
２０  置入部            
３０  斜め支持脚      
３１  着地側            
３２  位置決め部
４０  粘着部            
４１  オスマジックテープ（登録商標）    
４２  メスマジックテープ（登録商標）          
５０  物置ボックス            
６０  自転車            
６１  前輪      
６２  後輪          
８０  縦向き面          
８１  着地部
【図１】
0003152279.tif 000003
【図２】
0003152279.tif 000004
【図３】
0003152279.tif 000005
【図４】
0003152279.tif 000006
【図５】
0003152279.tif 000007
【図６】
0003152279.tif 000008
【図７】
0003152279.tif 000009
【図８】
0003152279.tif 000010